(57)【要約】【課題】外装部材の構成を簡素化させることが可能な画像読取装置、画像形成装置、及び係止部材を提供すること。【解決手段】画像読取装置は、自装置の外面を形成する外装部材２１５有する筐体２１と、筐体２１内を移動可能な第１キャリッジ２２と、第１キャリッジ２２の移動範囲内におけるロック位置で第１キャリッジ２２を係止可能なロック機構と、を備え、ロック機構は、ロック位置に配置される第１キャリッジ２２と外装部材２１５との間に設けられ、筐体２１によって支持される被支持部２８Ｃ１と、外装部材２１５における特定位置Ｐ４に配置される磁石７の磁力に応じて、被支持部２８Ｃ１と第１キャリッジ２２とを係合する第１位置Ｐ５から被支持部２８Ｃ１と第１キャリッジ２２との係合を解除する第２位置Ｐ６へ移動する係止部２９と、を備える。【選択図】図９
2018137604.tif 000002
【特許請求の範囲】
【請求項１】
自装置の外面を形成する外装部材、及び原稿が載置される原稿載置面を有する筐体と、
前記筐体内において予め定められた特定方向に沿って移動可能であって、前記原稿載置面に載置される原稿の画像の読み取りに用いられる光源及びミラーのいずれか一方又は両方が取り付けられるキャリッジと、
前記キャリッジの移動範囲内における予め定められたロック位置で前記キャリッジを係止可能なロック機構と、
を備え、
前記ロック機構は、
前記ロック位置に配置される前記キャリッジと前記外装部材との間に設けられ、前記筐体によって支持される被支持部と、
前記外装部材における前記外装部材を挟んで前記被支持部と対向する特定位置に配置される磁石の磁力に応じて前記被支持部と前記ロック位置に配置される前記キャリッジとを係合する第１位置及び前記第１位置よりも前記外装部材側であって前記被支持部と前記キャリッジとの係合を解除する第２位置のいずれか一方から他方へ移動する係止部と、
を備える画像読取装置。
【請求項２】
前記外装部材は、自装置の上面を形成しており、
前記第２位置は、前記第１位置から上方向へ離間した位置であって、
前記係止部は、前記磁石に磁気的に引き寄せられて前記第１位置から前記第２位置へ移動する、
請求項１に記載の画像読取装置。
【請求項３】
前記外装部材は、前記第２位置から水平方向に離間した第３位置で前記係止部を支持する支持部を有し、
前記係止部は、前記磁石の前記特定位置からの水平方向に沿った移動に応じて前記第２位置から前記第３位置へ移動する、
請求項２に記載の画像読取装置。
【請求項４】
前記ロック位置は、前記移動範囲における始点位置であって、
前記画像読取装置は、
前記キャリッジを前記ロック位置から前記移動範囲における終点位置側へ退避した退避位置へ移動させる第１駆動制御部と、
前記第１駆動制御部による前記キャリッジの前記退避位置への移動後において予め定められた駆動タイミングが到来するごとに、前記キャリッジを前記退避位置から前記終点位置までの範囲内で移動させる第２駆動制御部と、
を備える請求項２に記載の画像読取装置。
【請求項５】
ユーザー操作に応じて前記キャリッジを前記ロック位置へ移動させる第３駆動制御部を備え、
前記第２駆動制御部は、前記第１駆動制御部によって前記キャリッジが前記退避位置へ移動されてから前記第３駆動制御部によって前記キャリッジが前記ロック位置へ移動されるまでの間、前記駆動タイミングが到来するごとに前記キャリッジを前記退避位置から前記終点位置までの範囲内で移動させる、
請求項４に記載の画像読取装置。
【請求項６】
前記係止部は、下方向へ向けて突出する突出部を有し、
前記被支持部は、前記突出部が挿通される貫通孔を有し、
前記キャリッジは、前記ロック位置側の端部に設けられ、前記ロック位置への移動の際に前記貫通孔に挿通された前記突出部における突出端部と接触して前記係止部を上方へ押し上げる傾斜面と、前記傾斜面より前記終点位置側で前記突出部が挿通される開口部と、を有する、
請求項５に記載の画像読取装置。
【請求項７】
電流の供給に応じて前記キャリッジに駆動力を供給する駆動部と、
前記駆動部に供給される電流が予め定められた設定値を超える異常状態を検出する状態検出部と、
前記状態検出部によって前記異常状態が検出された場合に、前記係止部が前記第１位置に配置されている旨を報知する報知処理部と、
を備える請求項２〜６のいずれかに記載の画像読取装置。
【請求項８】
前記係止部を前記第１位置から前記第２位置へ向かう方向へ付勢する付勢部を備え、
前記係止部は、磁極を有し、前記磁石との間に働く磁気的な反発力によって前記第２位置から前記第１位置へ移動する、
請求項１に記載の画像読取装置。
【請求項９】
前記外装部材は、前記反発力による前記磁石の移動を規制する移動規制部を有する、
請求項８に記載の画像読取装置。
【請求項１０】
請求項１〜９のいずれかに記載の画像読取装置と、
前記画像読取装置によって読み取られる画像データに基づいて画像を形成可能な画像形成部と、
を備える画像形成装置。
【請求項１１】
自装置の外面を形成する外装部材、及び原稿が載置される原稿載置面を有する筐体と、前記筐体内において予め定められた特定方向に沿って移動可能であって、前記原稿載置面に載置される原稿の画像の読み取りに用いられる光源及びミラーのいずれか一方又は両方が取り付けられるキャリッジと、前記キャリッジの移動範囲内における予め定められたロック位置に配置される前記キャリッジと前記外装部材との間に設けられ、前記筐体によって支持される被支持部と、を備える画像形成装置に設けられる係止部材であって、
前記外装部材における前記外装部材を挟んで前記被支持部と対向する特定位置に配置される磁石の磁力に応じて前記被支持部と前記ロック位置に配置される前記キャリッジとを係合する第１位置及び前記第１位置よりも前記外装部材側であって前記被支持部と前記キャリッジとの係合を解除する第２位置のいずれか一方から他方へ移動する係止部材。
【発明の詳細な説明】
【技術分野】
【０００１】
本発明は、原稿の画像を読み取り可能な画像読取装置、画像読取装置を備える画像形成装置、及び係止部材に関する。
【背景技術】
【０００２】
スキャナーのような画像読取装置では、コンタクトガラスなどの原稿載置面に載置された原稿から画像データが読み取られることがある。例えば、この種の画像読取装置は、原稿載置面を有する筐体と、キャリッジとを備える。前記キャリッジは、前記筐体内において副走査方向に沿って移動可能であって、原稿載置面に載置される原稿へ向けて光を射出する光源、及び原稿で反射された光をＣＣＤなどの受光素子へ導くミラーが取り付けられる。
【０００３】
ところで、画像読取装置では、画像読取装置の運搬中に与えられる揺れや振動などによってキャリッジが筐体内を移動することがある。この場合に、例えばキャリッジが筐体の端部へ向けて勢いよく移動すると、端部への到達時に発生する衝撃により、キャリッジにおける光源などの取り付け位置がずれるおそれがある。これに対し、筐体におけるキャリッジの移動をロックすることが可能なロック部を備える画像読取装置が関連技術として知られている（特許文献１参照）。
【先行技術文献】
【特許文献】
【０００４】
【特許文献１】特開２０１１−７０１１３号公報
【発明の概要】
【発明が解決しようとする課題】
【０００５】
しかしながら、上述の関連技術では、ロック部によるロック状態及びロック解除状態の切替操作に用いられる操作部が画像読取装置の外面を形成する外装部材に設けられる。そのため、外装部材の構成が複雑化する。
【０００６】
本発明の目的は、外装部材の構成を簡素化させることが可能な画像読取装置、画像形成装置、及び係止部材を提供することにある。
【課題を解決するための手段】
【０００７】
本発明の一の局面に係る画像読取装置は、筐体と、キャリッジと、ロック機構とを備える。前記筐体は、自装置の外面を形成する外装部材、及び原稿が載置される原稿載置面を有する。前記キャリッジは、前記筐体内において予め定められた特定方向に沿って移動可能であって、前記原稿載置面に載置される原稿の画像の読み取りに用いられる光源及びミラーのいずれか一方又は両方が取り付けられる。前記ロック機構は、前記キャリッジの移動範囲内における予め定められたロック位置で前記キャリッジを係止可能である。また、前記ロック機構は、被支持部と、係止部とを備える。前記被支持部は、前記ロック位置に配置される前記キャリッジと前記外装部材との間に設けられ、前記筐体によって支持される。前記係止部は、前記外装部材における前記外装部材を挟んで前記被支持部と対向する特定位置に配置される磁石の磁力に応じて、前記被支持部と前記ロック位置に配置される前記キャリッジとを係合する第１位置及び前記第１位置よりも前記外装部材側であって前記被支持部と前記キャリッジとの係合を解除する第２位置のいずれか一方から他方へ移動する。
【０００８】
本発明の他の局面に係る画像形成装置は、前記画像読取装置と、画像形成部とを備える。前記画像形成部は、前記画像読取装置によって読み取られる画像データに基づいて画像を形成可能である。
【０００９】
本発明の他の局面に係る係止部材は、自装置の外面を形成する外装部材、及び原稿が載置される原稿載置面を有する筐体と、前記筐体内において予め定められた特定方向に沿って移動可能であって、前記原稿載置面に載置される原稿の画像の読み取りに用いられる光源及びミラーのいずれか一方又は両方が取り付けられるキャリッジと、前記キャリッジの移動範囲内における予め定められたロック位置に配置される前記キャリッジと前記外装部材との間に設けられ、前記筐体によって支持される被支持部と、を備える画像形成装置に設けられ、前記外装部材における前記外装部材を挟んで前記被支持部と対向する特定位置に配置される磁石の磁力に応じて前記被支持部と前記ロック位置に配置される前記キャリッジとを係合する第１位置及び前記第１位置よりも前記外装部材側であって前記被支持部と前記キャリッジとの係合を解除する第２位置のいずれか一方から他方へ移動する。
【発明の効果】
【００１０】
本発明によれば、外装部材の構成を簡素化させることが可能である。
【図面の簡単な説明】
【００１１】
【図１】図１は、本発明の第１実施形態に係る画像形成装置の構成を示す図である。
【図２】図２は、本発明の第１実施形態に係る画像形成装置のシステム構成を示すブロック図である。
【図３】図３は、本発明の第１実施形態に係る画像形成装置における筐体及びフレームの構成を示す図である。
【図４】図４は、本発明の第１実施形態に係る画像形成装置における筐体及びフレームの構成を示す図である。
【図５】図５は、本発明の第１実施形態に係る画像形成装置における第１キャリッジの移動範囲を示す図である。
【図６】図６は、本発明の第１実施形態に係る画像形成装置における第１キャリッジの構成を示す図である。
【図７】図７は、本発明の第１実施形態に係る画像形成装置における係止部の構成を示す図である。
【図８】図８は、本発明の第１実施形態に係る画像形成装置における係止部の第１位置を示す図である。
【図９】図９は、本発明の第１実施形態に係る画像形成装置における係止部の第２位置を示す図である。
【図１０】図１０は、本発明の第２実施形態に係る画像形成装置における係止部の第３位置を示す図である。
【図１１】図１１は、本発明の第２実施形態に係る画像形成装置における支持部の構成を示す図である。
【図１２】図１２は、本発明の第３実施形態に係る画像形成装置のシステム構成を示すブロック図である。
【図１３】図１３は、本発明の第３実施形態に係る画像形成装置における第１キャリッジの移動範囲を示す図である。
【図１４】図１４は、本発明の第３実施形態に係る画像形成装置における第１キャリッジ及び係止部の構成を示す図である。
【図１５】図１５は、本発明の第４実施形態に係る画像形成装置における係止部の構成を示す図である。
【図１６】図１６は、本発明の第４実施形態に係る画像形成装置における移動規制部の構成を示す図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［第１実施形態］
まず、図１及び図２を参照しつつ、本発明の第１実施形態に係る画像形成装置１０の構成について説明する。ここで、図１は画像形成装置１０の構成を示す断面模式図である。
【００１４】
なお、説明の便宜上、画像形成装置１０が使用可能な設置状態（図１に示される状態）で鉛直方向を上下方向Ｄ１と定義する。また、図１に示される画像形成装置１０の紙面手前側の面を正面（前面）として前後方向Ｄ２を定義する。また、前記設置状態の画像形成装置１０の正面を基準として左右方向Ｄ３を定義する。
【００１５】
画像形成装置１０は、原稿から画像データを読み取るスキャン機能、及び画像データに基づいて画像を形成するプリント機能と共に、ファクシミリ機能、及びコピー機能などの複数の機能を有する複合機である。また、本発明は、スキャナー装置、ファクシミリ装置、及びコピー機などの画像読取装置、又は画像形成装置に適用可能である。
【００１６】
図１及び図２に示されるように、画像形成装置１０は、ＡＤＦ１、画像読取部２、画像形成部３、給紙部４、制御部５、及び操作表示部６を備える。ここに、画像読取部２、及び制御部５を備える装置が、本発明における画像読取装置の一例である。
【００１７】
ＡＤＦ１は、原稿セット部、複数の搬送ローラー、原稿押さえ、及び排紙部を備え、画像読取部２によって読み取られる原稿を搬送する自動原稿搬送装置である。
【００１８】
画像形成部３は、画像読取部２で読み取られた画像データに基づいて、電子写真方式で画像を形成することが可能である。また、画像形成部３は、外部のパーソナルコンピューター等の情報処理装置から入力された画像データに基づいて、画像を形成することも可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。
【００１９】
給紙部４は、画像形成部３にシートを供給する。画像形成部３では、給紙部４から供給されるシートに画像が形成されて、画像形成後のシートが前記排紙トレイに排出される。なお、給紙部４から供給されるシートは、紙、コート紙、ハガキ、封筒、及びＯＨＰシートなどのシート材料である。
【００２０】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２１】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２２】
画像読取部２は、ＡＤＦ１によって搬送される原稿、又は第１コンタクトガラス２１１（図１参照）に載置される原稿から画像データを読み取ることが可能である。図１に示されるように、画像読取部２は、筐体２１、第１キャリッジ２２、第２キャリッジ２３、光学レンズ２４、ＣＣＤ２５、駆動部２６、及びセンサー２７を備える。
【００２３】
筐体２１は、画像読取部２の構成要素を収容する。第１キャリッジ２２、第２キャリッジ２３、光学レンズ２４、ＣＣＤ２５、駆動部２６、及びセンサー２７は、筐体２１の内部に収容される。
【００２４】
図１に示されるように、筐体２１は、第１コンタクトガラス２１１、及び第２コンタクトガラス２１２を有する。第１コンタクトガラス２１１、及び第２コンタクトガラス２１２は、筐体２１の上部に設けられ、筐体２１の上面２１Ａ（図１参照）の一部を形成する。第１コンタクトガラス２１１には、画像読取部２によって画像が読み取られる原稿が載置される。第１コンタクトガラス２１１の上面が、画像形成装置１０における原稿載置面である。第２コンタクトガラス２１２は、ＡＤＦ１によって搬送される原稿の画像の読み取りに用いられる。
【００２５】
筐体２１の上面２１Ａには、ＡＤＦ１が設けられる。ＡＤＦ１は、上面２１Ａの後端部において上面２１Ａに対して開閉可能に支持されており、第１コンタクトガラス２１１に載置される原稿に対する原稿カバーを兼ねている。第２コンタクトガラス２１２は、ＡＤＦ１が上面２１Ａに対して閉じられた状態において、ＡＤＦ１によって搬送される原稿の搬送路の一部を形成する。画像読取部２では、ＡＤＦ１が上面２１Ａに対して閉じられている場合に、ＡＤＦ１によって搬送される原稿から画像データを読取可能である。
【００２６】
第１キャリッジ２２は、図１に示されるように、第１コンタクトガラス２１１及び第２コンタクトガラス２１２よりも下側に設けられる。第１キャリッジ２２は、前後方向Ｄ２に長尺であって、駆動部２６から供給される駆動力を受けて左右方向Ｄ３へ移動可能に構成されている。第１キャリッジ２２には、図１に示されるように、光源２２１、及びミラー２２２が取り付けられている。光源２２１、及びミラー２２２は、第１コンタクトガラス２１１に載置される原稿の画像の読み取りに用いられる。ここに、第１キャリッジ２２が、本発明におけるキャリッジの一例である。また、左右方向Ｄ３が、本発明における特定方向の一例である。
【００２７】
光源２２１は、第１キャリッジ２２の移動方向である左右方向Ｄ３に直交する前後方向Ｄ２に沿って配列された多数の白色ＬＥＤを備える。光源２２１は、第１コンタクトガラス２１１又は第２コンタクトガラス２１２へ向けて前後方向Ｄ２に沿った１ラインの光を射出する。ミラー２２２は、光源２２１から射出されて、第１コンタクトガラス２１１に載置される原稿、又はＡＤＦ１によって搬送される原稿で反射した光を第２キャリッジ２３のミラー２３１に向けて反射させる。
【００２８】
第２キャリッジ２３は、図１に示されるように、第１コンタクトガラス２１１及び第２コンタクトガラス２１２よりも下側に設けられる。第２キャリッジ２３は、前後方向Ｄ２に長尺であって、第１キャリッジ２２の移動に連動して、第１キャリッジ２２と同じ左右方向Ｄ３へ移動する。また、第２キャリッジ２３は、第１キャリッジ２２の移動速度の半分の速度で移動する。第２キャリッジ２３には、図１に示されるように、ミラー２３１、及びミラー２３２が取り付けられる。
【００２９】
ミラー２３１は、第１キャリッジ２２のミラー２２２から入射される光をミラー２３２に向けて反射させる。ミラー２３２は、ミラー２３１から入射される光を光学レンズ２４に向けて反射させる。
【００３０】
光学レンズ２４は、第２キャリッジ２３のミラー２３２から入射される光を集光してＣＣＤ２５に入射させる。
【００３１】
ＣＣＤ２５は、光学レンズ２４から入射される光を受光して、受光量に応じた電気信号を出力する光電変換素子を有するイメージセンサーである。ＣＣＤ２５から出力される電気信号は、不図示のアナログフロントエンド回路によって画像データを表すデジタル信号に変換された後に、制御部５に入力される。
【００３２】
駆動部２６は、電流の供給に応じて、第１キャリッジ２２、及び第２キャリッジ２３を移動させる駆動力を第１キャリッジ２２、及び第２キャリッジ２３に供給する。例えば、駆動部２６はステッピングモーターである。第１キャリッジ２２は、駆動部２６から供給される駆動力によって筐体２１内における始点位置Ｐ１（図５参照）から終点位置Ｐ２（図５参照）までの範囲内で移動する。なお、本明細書では、第１キャリッジ２２の右端部の位置を、筐体２１内における第１キャリッジ２２の位置とみなしている（図５参照）。
【００３３】
センサー２７は、筐体２１内における始点位置Ｐ１（図５参照）で第１キャリッジ２２を検出可能である。例えば、センサー２７は、反射型又は透過型の光センサーである。センサー２７は、始点位置Ｐ１における第１キャリッジ２２の検出の有無に応じた電気信号を制御部５に出力する。
【００３４】
画像読取部２では、第１コンタクトガラス２１１に載置された原稿から画像データが読み取られる場合、第１キャリッジ２２が始点位置Ｐ１（図５参照）から終点位置Ｐ２（図５参照）へ移動される。これにより、光源２２１から射出される前後方向Ｄ２に沿った１ラインの光が左右方向Ｄ３に沿って移動して、原稿の表面が走査される。即ち、前後方向Ｄ２は、画像読取部２による第１コンタクトガラス２１１に載置された原稿の画像データの読み取りにおける主走査方向である。また、左右方向Ｄ３は、画像読取部２による第１コンタクトガラス２１１に載置された原稿の画像データの読み取りにおける副走査方向である。
【００３５】
また、第２キャリッジ２３は、第１キャリッジ２２の始点位置Ｐ１から終点位置Ｐ２への移動に連動して、始点位置Ｐ１から終点位置Ｐ２へ向かう方向へ、第１キャリッジ２２の移動速度の半分の速度で移動する。これにより、第１キャリッジ２２が始点位置Ｐ１から終点位置Ｐ２へ移動している間、光源２２１からＣＣＤ２５までの光路長が所定の値に維持される。
【００３６】
第１キャリッジ２２は、第１コンタクトガラス２１１に載置された原稿からの画像データの読み取りが終了すると、始点位置Ｐ１へ戻される。始点位置Ｐ１は、第１キャリッジ２２の所謂ホームポジションである。具体的に、制御部５は、センサー２７から第１キャリッジ２２の検出を示す電気信号が出力されるまでの間、駆動部２６を駆動させて、第１キャリッジ２２を終点位置Ｐ２から始点位置Ｐ１へ向かう方向へ移動させる。なお、第２キャリッジ２３は、第１キャリッジ２２の移動に連動して、第１キャリッジ２２と同方向へ、第１キャリッジ２２の移動速度の半分の速度で移動する。
【００３７】
また、画像読取部２では、ＡＤＦ１によって搬送される原稿から画像データが読み取られる場合、第１キャリッジ２２が始点位置Ｐ１（図５参照）に固定で配置される。始点位置Ｐ１に配置された第１キャリッジ２２の光源２２１からは、ＡＤＦ１によって搬送される原稿の搬送路へ向けて前後方向Ｄ２に沿った１ラインの光が射出される。これにより、ＡＤＦ１によって搬送される原稿が、前記搬送路における光源２２１からの光の照射位置を通過して、原稿の表面が走査される。
【００３８】
ところで、画像形成装置１０では、自装置の運搬中に与えられる揺れや振動などによって第１キャリッジ２２、及び第２キャリッジ２３が筐体２１内を移動することがある。この場合に、例えば第１キャリッジ２２が筐体２１内の始点位置Ｐ１（図５参照）、又は終点位置Ｐ２（図５参照）へ向けて勢いよく移動すると、始点位置Ｐ１、又は終点位置Ｐ２への到達時に発生する衝撃により、第１キャリッジ２２、及び第２キャリッジ２３における光源２２１などの取り付け位置がずれるおそれがある。これに対し、筐体２１における第１キャリッジ２２の移動をロックすることが可能なロック部を備える画像読取装置が関連技術として知られている。
【００３９】
しかしながら、上述の関連技術では、ロック部によるロック状態及びロック解除状態の切替操作に用いられる操作部が画像読取装置の外面を形成する外装部材に設けられる。そのため、外装部材の構成が複雑化する。これに対し、本発明の実施形態に係る画像形成装置１０では、以下に説明するように、外装部材の構成を簡素化させることが可能である。
【００４０】
以下、図３〜図９を参照しつつ、画像読取部２について詳細に説明する。ここで、図３は筐体２１の外装部材２１３〜２１５、及びフレーム２８の構成を示す斜視図である。また、図４はフレーム２８、及び係止部２９の構成を示す斜視図である。また、図５は筐体２１の内部の構成を示す断面模式図である。また、図６は第１キャリッジ２２の構成を示す斜視図である。また、図７は係止部２９の構成を示す斜視図である。また、図８は図３におけるＶＩＩＩ−ＶＩＩＩ矢視断面図であって、係止部２９が第１位置Ｐ５に配置された状態が示されている。また、図９は図８に示された断面図において係止部２９が第２位置Ｐ６に配置された状態が示された図である。
【００４１】
筐体２１は、図３に示されるように、外装部材２１３〜２１５、及び支持部材２１２Ａを備える。
【００４２】
外装部材２１３〜２１５は、筐体２１の上面２１Ａの一部を形成する。例えば、外装部材２１３〜２１５各々は、樹脂によって形成される。
【００４３】
図３に示されるように、外装部材２１３は、左右方向Ｄ３に長尺であって、第１コンタクトガラス２１１、及び第２コンタクトガラス２１２の後側で上面２１Ａを形成する。また、図３に示されるように、外装部材２１４は、前後方向Ｄ２に長尺であって、第１コンタクトガラス２１１の右側で上面２１Ａを形成する。また、図３に示されるように、外装部材２１５は、前後方向Ｄ２に長尺であって、第２コンタクトガラス２１２の左側で上面２１Ａを形成する。なお、筐体２１は、第１コンタクトガラス２１１、及び第２コンタクトガラス２１２の前側で上面２１Ａを形成する不図示の外装部材、外装部材２１５の左側で上面２１Ａを形成する不図示の外装部材、及び筐体２１の底面及び側面を形成する不図示の外装部材を備える。
【００４４】
支持部材２１２Ａは、第２コンタクトガラス２１２を支持する。支持部材２１２Ａは、筐体２１の上面２１Ａの一部を形成する。例えば、支持部材２１２Ａは、樹脂によって形成される。
【００４５】
また、画像読取部２は、図３及び図４に示されるように、フレーム２８、及び係止部２９を備える。
【００４６】
フレーム２８は、筐体２１の内部において、筐体２１に固定される。例えば、フレーム２８は、板金によって形成される。
【００４７】
フレーム２８は、第１キャリッジ２２、及び第２キャリッジ２３を左右方向Ｄ３へ移動可能に支持する。フレーム２８によって移動可能に支持された第１キャリッジ２２は、図５に示される始点位置Ｐ１から終点位置Ｐ２の範囲内で移動する。例えば、始点位置Ｐ１は、第１キャリッジ２２の移動可能範囲における左方側の端部である。また、終点位置Ｐ２は、第１キャリッジ２２の移動可能範囲における右方側の端部である。
【００４８】
図３〜図５に示されるように、フレーム２８は、底板部２８Ａ、側壁部２８Ｂ〜２８Ｅを有する。底板部２８Ａは矩形状に形成される。側壁部２８Ｂは、底板部２８Ａの前方側の縁部に沿って立設される。側壁部２８Ｂの上部には、底板部２８Ａの内側へ向けて屈曲する屈曲部２８Ｂ１（図３参照）が形成される。側壁部２８Ｃは、底板部２８Ａの左方側の縁部に沿って立設される。側壁部２８Ｃの上部には、底板部２８Ａの内側へ向けて屈曲する屈曲部２８Ｃ１（図４参照）が形成される。側壁部２８Ｄは、底板部２８Ａの後方側の縁部に沿って立設される。側壁部２８Ｄの上部には、底板部２８Ａの内側へ向けて屈曲する不図示の屈曲部が形成される。側壁部２８Ｅは、底板部２８Ａの右方側の縁部に沿って立設される。側壁部２８Ｅの上部には、底板部２８Ａの内側へ向けて屈曲する屈曲部２８Ｅ１（図５参照）が形成される。
【００４９】
ここで、屈曲部２８Ｃ１は、図５に示されるように、始点位置Ｐ１に配置される第１キャリッジ２２と外装部材２１５との間に設けられる。始点位置Ｐ１に配置された第１キャリッジ２２は、左方側の端部が屈曲部２８Ｃ１によって覆われる。屈曲部２８Ｃ１と外装部材２１５との間には、予め定められた離間距離が設定される。ここに、屈曲部２８Ｃ１が、本発明における被支持部の一例である。
【００５０】
係止部２９は、屈曲部２８Ｃ１と始点位置Ｐ１に配置される第１キャリッジ２２とを係合する第１位置Ｐ５（図８参照）、及び第１位置Ｐ５よりも外装部材２１５側であって屈曲部２８Ｃ１と第１キャリッジ２２との係合を解除する第２位置Ｐ６（図９参照）の間を移動可能である。ここで、第２位置Ｐ６は、図８及び図９に示されるように、第１位置Ｐ５から上方向へ離間した位置である。
【００５１】
具体的に、係止部２９は、外装部材２１５における、外装部材２１５を挟んで屈曲部２８Ｃ１と対向する特定位置Ｐ４（図５参照）に配置される磁石７（図９参照）の磁力に応じて、第１位置Ｐ５から第２位置Ｐ６へ移動する。例えば、特定位置Ｐ４は、外装部材２１５の上面における、第１キャリッジ２２の前後方向Ｄ２の中央部を含み且つ前後方向Ｄ２に垂直な平面が交わる位置である。また、第１位置Ｐ５、及び第２位置Ｐ６は、特定位置Ｐ４の下方の位置である。ここに、係止部２９が、本発明における係止部材の一例である。
【００５２】
より具体的に、係止部２９は、磁石７に磁気的に引き寄せられて、第１位置Ｐ５から第２位置Ｐ６へ移動する。例えば、係止部２９は、鉄などの強磁性体によって形成される。なお、係止部２９は磁石を含んでいてもよい。
【００５３】
図７に示されるように、係止部２９は、基体部２９１、及び突出部２９２を有する。基体部２９１は、第１キャリッジ２２の長手方向と同じ方向である前後方向Ｄ２に長尺な平板状に形成される。例えば、基体部２９１は、屈曲部２８Ｃ１と外装部材２１５との間に形成される間隙において、長手方向における中央部が特定位置Ｐ４の下方に位置するように配置される。突出部２９２は、基体部２９１における長手方向の端部各々において、下方向に突出して設けられる。
【００５４】
一方、屈曲部２８Ｃ１は、図４、図８、及び図９に示されるように、貫通孔２８Ｆを有する。貫通孔２８Ｆは、係止部２９の突出部２９２各々に対応して設けられる。図４、図８、及び図９に示されるように、貫通孔２８Ｆには、係止部２９の突出部２９２が挿通される。
【００５５】
また、第１キャリッジ２２は、図６、図８、及び図９に示されるように、開口部２２３を有する。開口部２２３は、第１キャリッジ２２が始点位置Ｐ１に配置された場合に屈曲部２８Ｃ１に覆われる、第１キャリッジ２２の左方側端部に設けられる。開口部２２３は、係止部２９の突出部２９２各々に対応して設けられる。図６、及び図８に示されるように、開口部２２３には、係止部２９の突出部２９２が挿通される。
【００５６】
なお、係止部２９に設けられる突出部２９２の数は、一つであってもよく、三つ以上であってもよい。突出部２９２が一つ、又は三つ以上である場合、屈曲部２８Ｃ１の貫通孔２８Ｆ、及び第１キャリッジ２２の開口部２２３は、突出部２９２各々に対応して設けられる。
【００５７】
画像形成装置１０では、外装部材２１５における特定位置Ｐ４に磁石７が配置されていない場合に、係止部２９が第１位置Ｐ５に配置されて、屈曲部２８Ｃ１の貫通孔２８Ｆ、及び第１キャリッジ２２の開口部２２３が、係止部２９の突出部２９２に挿通される（図８参照）。これにより、屈曲部２８Ｃ１と始点位置Ｐ１に配置される第１キャリッジ２２とが係合されて、第１キャリッジ２２の移動が係止される。
【００５８】
また、画像形成装置１０では、外装部材２１５における特定位置Ｐ４に磁石７が配置される場合に、係止部２９が磁石７に磁気的に引き寄せられて、第１位置Ｐ５から第２位置Ｐ６へ移動する（図９参照）。これにより、第１キャリッジ２２の開口部２２３から係止部２９の突出部２９２が引き抜かれた状態となり、屈曲部２８Ｃ１と始点位置Ｐ１に配置される第１キャリッジ２２との係合が解除される。ここに、フレーム２８の屈曲部２８Ｃ１及び係止部２９が、本発明におけるロック機構の一例である。また、始点位置Ｐ１が、本発明におけるロック位置の一例である。
【００５９】
なお、屈曲部２８Ｃ１は、筐体２１によって支持される部材であれば、フレーム２８とは別に設けられた部材であってもよい。
【００６０】
例えば、画像形成装置１０では、出荷時に係止部２９が第１位置Ｐ５に配置されている。これにより、画像形成装置１０がユーザーの使用環境下へ運搬されるまでの間、第１キャリッジ２２の移動が規制される。なお、第１キャリッジ２２の移動が規制されることで、第１キャリッジ２２の移動に連動する第２キャリッジ２３の移動も規制される。
【００６１】
また、画像形成装置１０では、画像形成装置１０がユーザーの使用環境下に設置された後に、磁石７が外装部材２１５の特定位置Ｐ４に配置される。これにより、係止部２９が磁石７の磁力によって第１位置Ｐ５から第２位置Ｐ６へ移動して、第１キャリッジ２２の移動規制が解除される。
【００６２】
なお、外装部材２１５は、特定位置Ｐ４を含む一部又は全部が鉄などの強磁性体によって形成されていてもよい。これにより、外装部材２１５と磁石７とが磁気的に引き合うため、ユーザーによる画像形成装置１０の使用時に磁石７が特定位置Ｐ４から外れにくくなる。また、外装部材２１５における特定位置Ｐ４に、磁石７の形状に沿って形成された凹部が形成されており、前記凹部に磁石７の上下方向Ｄ１における一部又は全部が収容されてもよい。
【００６３】
また、画像形成装置１０では、ユーザーの事業所移転などによって画像形成装置１０が再度運搬される場合に、磁石７が外装部材２１５の特定位置Ｐ４から取り外される。これにより、係止部２９が自重で第２位置Ｐ６から第１位置Ｐ５へ移動して、第１キャリッジ２２の移動が規制される。
【００６４】
ここで、画像形成装置１０では、磁石７が外装部材２１５の特定位置Ｐ４に存在しない場合に、第１キャリッジ２２の移動が係止部２９によって係止されて、原稿の画像の読取動作に支障が生じる。そこで、画像形成装置１０では、図２に示されるように、制御部５に状態検出部５１、及び報知処理部５２が設けられている。
【００６５】
具体的に、制御部５は、前記ＣＰＵを用いて前記ＲＯＭに記憶されている前記制御プログラムを実行する。これにより、制御部５は、状態検出部５１、及び報知処理部５２として機能する。なお、状態検出部５１、及び報知処理部５２は電子回路によって構成されてもよい。
【００６６】
状態検出部５１は、駆動部２６に供給される電流が予め定められた設定値を超える異常状態を検出する。
【００６７】
例えば、画像形成装置１０では、フィードバック制御により、不図示の電源から駆動部２６への駆動電流の供給量が制御される。また、画像形成装置１０には、前記電源から駆動部２６へ流れる駆動電流の電流量を検出可能な不図示の電流検出回路を有する。状態検出部５１は、前記電流検出回路によって検出される駆動電流の電流量が前記設定値を超える場合に、前記異常状態を検出する。例えば、前記設定値は、係止部２９により第１キャリッジ２２の移動が係止されていない状態で駆動部２６が駆動される場合に駆動部２６に流れる駆動電流の電流量と、第１キャリッジ２２の移動が係止されている状態で駆動部２６が駆動される場合に駆動部２６に流れる駆動電流の電流量との間の値に設定される。
【００６８】
報知処理部５２は、状態検出部５１によって前記異常状態が検出された場合に、係止部２９が第１位置Ｐ５に配置されている旨を報知する。
【００６９】
例えば、報知処理部５２は、係止部２９が第１位置Ｐ５に配置されている旨を示すメッセージを操作表示部６に表示させる。また、報知処理部５２は、操作表示部６に設けられる予め定められた発光部を発光させて、係止部２９が第１位置Ｐ５に配置されている旨を報知してもよい。これにより、ユーザーは、画像読取部２における動作不良が、外装部材２１５の特定位置Ｐ４における磁石７の不存在に起因するものであることを認識可能である。
【００７０】
このように、本発明の第１実施形態に係る画像形成装置１０では、係止部２９が、外装部材２１５の特定位置Ｐ４に配置される磁石７の磁力に応じて、屈曲部２８Ｃ１と第１キャリッジ２２とを係合する第１位置Ｐ５から、屈曲部２８Ｃ１と第１キャリッジ２２との係合を解除する第２位置Ｐ６へ移動する。これにより、外装部材２１５の構成を簡素化させることが可能である。
【００７１】
［第２実施形態］
次に、図１０及び図１１を参照しつつ、本発明の第２実施形態に係る画像形成装置１０について説明する。ここで、図１０は筐体２１の上面２１Ａを示す平面図である。また、図１１は図１０におけるＸＩ−ＸＩ矢視断面図である。
【００７２】
第２実施形態に係る画像形成装置１０では、外装部材２１５と屈曲部２８Ｃ１との間に、係止部２９の上下方向Ｄ１における長さを超える離間距離が設けられている点で、第１実施形態と異なる。即ち、第２実施形態に係る画像形成装置１０では、係止部２９が第２位置Ｐ６に配置された場合に、突出部２９２の突出端が屈曲部２８Ｃ１の貫通孔２８Ｆよりも上側に位置する。これにより、第２実施形態に係る画像形成装置１０において、係止部２９は、磁石７の特定位置Ｐ４からの水平方向に沿った移動に応じて、水平方向に移動可能である。
【００７３】
また、第２実施形態に係る画像形成装置１０は、外装部材２１５に図１１に示される支持部２１６が設けられている点で、第１実施形態と異なる。なお、その他の点については、第１実施形態と第２実施形態とで共通である。
【００７４】
支持部２１６は、第２位置Ｐ６から水平方向に離間した第３位置Ｐ７（図１０参照）で、係止部２９を支持する。具体的に、第３位置Ｐ７は、第２位置Ｐ６から前方へ離間した位置である。支持部２１６は、外装部材２１５における係止部２９との対向面２１５Ａ（図１１参照）に設けられる。
【００７５】
図１１に示されるように、支持部２１６は、支持片２１６Ａ、及び支持片２１６Ｂを有する。支持片２１６Ａは、外装部材２１５から下方向へ突出し、突出先端から右方向へ突出して形成されており、係止部２９の基体部２９１における左端部を支持する。支持片２１６Ｂは、外装部材２１５から下方向へ突出し、突出先端から左方向へ突出して形成されており、係止部２９の基体部２９１における右端部を支持する。支持片２１６Ａ、及び支持片２１６Ｂは、前後方向Ｄ２に延出して設けられる。
【００７６】
係止部２９は、磁石７の特定位置Ｐ４からの水平方向に沿った移動に応じて、第２位置Ｐ６から第３位置Ｐ７へ移動する。例えば、対向面２１５Ａには、係止部２９の第２位置Ｐ６から第３位置Ｐ７への移動を案内する不図示のガイド部材が設けられている。係止部２９は、前記ガイド部材に案内されて、第２位置Ｐ６から第３位置Ｐ７へ移動する。そして、係止部２９は、第３位置Ｐ７において支持部２１６によって支持される。
【００７７】
このように、第２実施形態に係る画像形成装置１０では、係止部２９が、第２位置Ｐ６から水平方向に離間した第３位置Ｐ７へ移動可能に構成されている。また、係止部２９は、第３位置Ｐ７で支持部２１６によって支持される。これにより、磁石７が外装部材２１５から取り外された場合に、係止部２９によって第１キャリッジ２２の移動がロックされることを回避可能である。従って、外装部材２１５から磁石７を取り外した状態で、画像形成装置１０を使用することが可能である。
【００７８】
［第３実施形態］
以下、図１２及び図１４を参照しつつ、本発明の第３実施形態に係る画像形成装置１０について説明する。ここで、図１３は第１キャリッジ２２における退避位置Ｐ３を示す図である。また、図１４は第１キャリッジ２２及び係止部２９の構成を示す断面模式図である。
【００７９】
第３実施形態に係る画像形成装置１０では、第１キャリッジ２２、係止部２９、及び制御部５の構成が、第１実施形態と異なる。また、第３実施形態に係る画像形成装置１０では、センサー２７の配置位置が、第１実施形態と異なる。なお、その他の点については、第１実施形態と第３実施形態とで共通である。
【００８０】
具体的に、センサー２７は、第１キャリッジ２２の移動範囲における始点位置Ｐ１から終点位置Ｐ２側へ退避した退避位置Ｐ３（図１３参照）に設けられる。ここで、退避位置Ｐ３は、第１キャリッジ２２と係止部２９の突出部２９２とが離間する位置である。
【００８１】
また、第１キャリッジ２２は、図１４に示されるように、傾斜面２２Ａを有する。傾斜面２２Ａは、第１キャリッジ２２における始点位置Ｐ１側（左側）の端部に設けられる。図１４に示されるように、傾斜面２２Ａは、開口部２２３側から左側端部へ向けて下方へ傾斜して形成される。傾斜面２２Ａは、第１キャリッジ２２の始点位置Ｐ１への移動の際に、屈曲部２８Ｃ１の貫通孔２８Ｆに挿通された係止部２９の突出部２９２における突出端部と接触して、係止部２９を上方へ押し上げる。第１キャリッジ２２において、開口部２２３は、傾斜面２２Ａより終点位置Ｐ２側（右側）に設けられる。
【００８２】
また、係止部２９の突出部２９２は、図１４に示されるように、傾斜面２９２Ａを有する。傾斜面２９２Ａは、突出部２９２の突出端部において第１キャリッジ２２と対向する右端部に設けられる。傾斜面２９２Ａは、突出端部における左側端部から右側端部へ向けて上方へ傾斜して形成される。突出部２９２に傾斜面２９２Ａが設けられることで、突出部２９２と第１キャリッジ２２の傾斜面２２Ａとが接触した際の係止部２９の上方向への移動がスムーズになる。
【００８３】
なお、係止部２９の突出部２９２に、傾斜面２９２Ａが設けられていなくてもよい。また、第１キャリッジ２２に傾斜面２２Ａが設けられていなくてもよい。この場合、突出部２９２の傾斜面２９２Ａは、始点位置Ｐ１へ向けて移動する第１キャリッジ２２と接触した際に係止部２９が上方へ移動可能となるように形成される。また、係止部２９の突出部２９２に、傾斜面２９２Ａが設けられておらず、且つ第１キャリッジ２２に傾斜面２２Ａが設けられていなくてもよい。
【００８４】
また、制御部５は、図１２に示されるように、第１駆動制御部５３、第２駆動制御部５４、及び第３駆動制御部５５を含む。具体的に、制御部５は、前記ＣＰＵを用いて前記ＲＯＭに記憶されている前記制御プログラムを実行する。これにより、制御部５は、第１駆動制御部５３、第２駆動制御部５４、及び第３駆動制御部５５として機能する。なお、第１駆動制御部５３、第２駆動制御部５４、及び第３駆動制御部５５は、電子回路によって構成されてもよい。
【００８５】
第１駆動制御部５３は、第１キャリッジ２２を始点位置Ｐ１から退避位置Ｐ３（図１３参照）へ移動させる。
【００８６】
例えば、画像形成装置１０では、始点位置Ｐ１における第１キャリッジの存否を示すフラグ情報が、制御部５に設けられる不揮発性の記憶装置（不図示）に格納されている。第１駆動制御部５３は、前記フラグ情報が始点位置Ｐ１における第１キャリッジの存在を示す第１情報である場合に、第１キャリッジ２２を始点位置Ｐ１から退避位置Ｐ３へ移動させる。また、第１駆動制御部５３は、第１キャリッジ２２を退避位置Ｐ３へ移動させた後に、前記フラグ情報を、前記第１情報から始点位置Ｐ１における第１キャリッジの不存在を示す第２情報に書き替える。
【００８７】
例えば、第１駆動制御部５３は、予め定められた判断タイミングが到来するごとに、前記フラグ情報に基づいて第１キャリッジ２２の駆動制御の実行の要否を判断する。例えば、前記判断タイミングは、画像形成装置１０の電源が投入された場合、画像形成装置１０が一部の機能が停止されるスリープ状態から通常状態に復帰した場合、第１コンタクトガラス２１１に載置される原稿から画像データを読み取る読取処理が実行される場合等である。
【００８８】
なお、第１駆動制御部５３は、前記フラグ情報が前記第１情報である場合に、操作表示部６に磁石７の特定位置Ｐ４への配置を促すメッセージを表示させてもよい。この場合、第１駆動制御部５３は、前記メッセージの表示後に受け付けられるユーザー操作に応じて、第１キャリッジ２２を移動させてもよい。
【００８９】
第３駆動制御部５５は、ユーザー操作に応じて第１キャリッジ２２を始点位置Ｐ１へ移動させる。
【００９０】
例えば、第３駆動制御部５５は、前記フラグ情報が前記第２情報であり、且つ第１キャリッジ２２を始点位置Ｐ１へ移動させる旨のユーザー操作を受け付けた場合に、第１キャリッジ２２を退避位置Ｐ３から始点位置Ｐ１へ移動させる。また、第３駆動制御部５５は、第１キャリッジ２２を始点位置Ｐ１へ移動させた後に、前記フラグ情報を、前記第２情報から前記第１情報に書き替える。これにより、ユーザーは、画像形成装置１０が使用環境下に設置された後に、画像形成装置１０を再度運搬する必要が生じた場合に、筐体２１における第１キャリッジ２２の移動をロックすることが可能である。
【００９１】
ここで、第３実施形態に係る画像形成装置１０では、第１キャリッジ２２の退避位置Ｐ３から始点位置Ｐ１への移動に応じて、係止部２９が、第１キャリッジ２２の傾斜面２２Ａによって上方へ押し上げられて、開口部２２３に挿通される。そのため、第３実施形態に係る画像形成装置１０において、ユーザーは、第１キャリッジ２２の移動をロックする際に、磁石７を用いて係止部２９を第１位置Ｐ５から第２位置Ｐ６へ持ち上げる必要がない。
【００９２】
第２駆動制御部５４は、第１駆動制御部５３による第１キャリッジ２２の退避位置Ｐ３への移動後において予め定められた駆動タイミングが到来するごとに、第１キャリッジ２２を退避位置Ｐ３から終点位置Ｐ２までの範囲内で移動させる。
【００９３】
具体的に、第２駆動制御部５４は、第１駆動制御部５３によって第１キャリッジ２２が退避位置Ｐ３へ移動されてから、第３駆動制御部５５によって第１キャリッジ２２が始点位置Ｐ１へ移動されるまでの間、前記駆動タイミングが到来するごとに第１キャリッジ２２を退避位置Ｐ３から終点位置Ｐ２までの範囲内で移動させる。例えば、第２駆動制御部５４は、前記駆動タイミングが到来した場合であって、前記フラグ情報が前記第２情報である場合に、第１キャリッジ２２を退避位置Ｐ３から終点位置Ｐ２までの範囲内で移動させる。
【００９４】
例えば、前記駆動タイミングは、前記読取処理が実行される場合である。また、前記駆動タイミングは、第１コンタクトガラス２１１に載置された原稿のプレスキャンが実行される場合であってもよい。
【００９５】
なお、前記駆動タイミングが到来した場合であって、前記フラグ情報が前記第１情報である場合は、第１駆動制御部５３によって第１キャリッジ２２が退避位置Ｐ３へ移動されて、前記フラグ情報が前記第２情報に書き替えられる。第２駆動制御部５４は、第１駆動制御部５３による前記フラグ情報の書き換え後に、第１キャリッジ２２を退避位置Ｐ３から終点位置Ｐ２までの範囲内で移動させる。
【００９６】
このように、第３実施形態に係る画像形成装置１０では、前記駆動タイミングが到来した場合に、第１キャリッジ２２が退避位置Ｐ３から終点位置Ｐ２までの範囲内で移動される。そのため、外装部材２１５から磁石７が取り外されて、係止部２９が第１位置Ｐ５に配置されている場合であっても、係止部２９によって第１キャリッジ２２の移動が妨げられることがない。
【００９７】
なお、第３実施形態に係る画像形成装置１０において、制御部５に第３駆動制御部５５が設けられていなくてもよい。
【００９８】
［第４実施形態］
以下、図１５及び図１６を参照しつつ、本発明の第４実施形態に係る画像形成装置１０について説明する。ここで、図１５は係止部２９の構成を示す図である。また、図１６は筐体２１の上面２１Ａを示す平面図である。
【００９９】
第４実施形態に係る画像形成装置１０では、係止部２９、及び外装部材２１５の構成が、第１実施形態と異なる。なお、その他の点については、第１実施形態と第３実施形態とで共通である。
【０１００】
具体的に、係止部２９は、図１５に示されるように、付勢部２９３を有する。付勢部２９３は、係止部２９を第１位置Ｐ５から第２位置Ｐ６へ向かう方向へ付勢する。例えば、付勢部２９３は、一端が屈曲部２８Ｃ１の上面に固定され、他端が係止部２９の基体部２９１に固定された圧縮コイルばねである。
【０１０１】
また、係止部２９の基体部２９１は、磁極２９４を有する。具体的に、係止部２９の基体部２９１は、磁石によって形成されている。磁極２９４の極性は、Ｎ極であってもよく、Ｓ極であってもよい。
【０１０２】
係止部２９は、磁石７との間に働く磁気的な反発力によって、第２位置Ｐ６から第１位置Ｐ５へ移動する。具体的に、係止部２９は、磁石７が、磁極２９４と同じ極性が外装部材２１５へ向けられた状態で特定位置Ｐ４に配置された場合に、磁石７との間に働く磁気的な反発力によって、第２位置Ｐ６から第１位置Ｐ５へ移動する。また、係止部２９は、磁石７が特定位置Ｐ４から取り外された場合に、付勢部２９３の付勢力により、第１位置Ｐ５から第２位置Ｐ６へ移動する。
【０１０３】
また、外装部材２１５は、図１６に示されるように、移動規制部２１７を有する。移動規制部２１７は、係止部２９と磁石７との間に働く磁気的な反発力による磁石７の移動を規制する。例えば、移動規制部２１７は、特定位置Ｐ４に配置された磁石７の上面及び両側面と接触可能なアーチ状に形成される。なお、外装部材２１５に磁石７を収容可能な凹部が設けられており、移動規制部２１７は、前記凹部に収容された磁石７の上面と接触するものであってもよい。
【０１０４】
このように、第４実施形態に係る画像形成装置１０では、外装部材２１５における特定位置Ｐ４に磁石７が配置された場合に、第１キャリッジ２２の移動がロックされる。そのため、外装部材２１５から磁石７が取り外された状態において、係止部２９が第１キャリッジ２２の移動を妨げることがない。
【０１０５】
なお、第４実施形態に係る画像形成装置１０において、特定位置Ｐ４は、筐体２１の外面における上面２１Ａとは異なる面上の位置であってもよい。また、係止部２９は、フレーム２８と、第２キャリッジ２３とを係合するものであってもよい。
【符号の説明】
【０１０６】
１        ＡＤＦ
２        画像読取部
３        画像形成部
４        給紙部
５        制御部
６        操作表示部
７        磁石
１０      画像形成装置
２１      筐体
２２      第１キャリッジ
２３      第２キャリッジ
２４      光学レンズ
２５      ＣＣＤ
２６      駆動部
２７      センサー
２８      フレーム
２８Ｃ１  屈曲部
２９      係止部
５１      状態検出部
５２      報知処理部
５３      第１駆動制御部
５４      第２駆動制御部
５５      第３駆動制御部
【図１】
2018137604.tif 000003
【図２】
2018137604.tif 000004
【図３】
2018137604.tif 000005
【図４】
2018137604.tif 000006
【図５】
2018137604.tif 000007
【図６】
2018137604.tif 000008
【図７】
2018137604.tif 000009
【図８】
2018137604.tif 000010
【図９】
2018137604.tif 000011
【図１０】
2018137604.tif 000012
【図１１】
2018137604.tif 000013
【図１２】
2018137604.tif 000014
【図１３】
2018137604.tif 000015
【図１４】
2018137604.tif 000016
【図１５】
2018137604.tif 000017
【図１６】
2018137604.tif 000018